(57)【要約】      （修正有）【課題】吊り上げ移動作業や吊り下げ移動作業を行う場合に、障害物への接触を容易に回避することができる工具袋を提供する。【解決手段】工具袋１は、開口部２１を有する略円筒バケツ形状の筒状袋２と、両端部が前記筒状袋２の前記開口部２１の近傍に対称に固定される二本のベルト３、４と、を備え、前記筒状袋２の外側壁には、牽引用の連結具（例えば、リングキャッチ）と連結可能な連結部５、６が設けられている。工具袋１の吊り上げ移動作業や吊り下げ移動作業において、障害物がある場合、地上の作業員は、リードロープを引いて手前側の方向に工具袋を移動させる。これにより、吊り上げ移動作業や吊り下げ移動作業を行う場合に、障害物への接触を容易に回避することができる。【選択図】図１
2020028937.tif 000002
【特許請求の範囲】
【請求項１】
開口部を有する略円筒バケツ形状の筒状袋と、  両端部が前記筒状袋の前記開口部の近傍に対称に固定されるベルトと、  を備え、  前記筒状袋の外側壁には、牽引用の連結具と連結可能な連結部が設けられていることを特徴とする工具袋。
【請求項２】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記筒状袋の前記外側壁には、牽引用の連結具と連結可能な連結部が設けられていることを特徴とする工具袋。
【請求項３】
筒状袋の外側壁及び底壁へ二本のベルトの両端部を等間隔に固定すると共に、前記筒状袋の内底上へ底板を収容し、前記筒状袋の口縁部を皮革で覆い、前記二本のベルトは、筒状袋の上部及び底部で交差させ、前記筒状袋の前記外側壁には、牽引用の連結具と連結可能な連結部が設けられていることを特徴とする工具袋。
【請求項４】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設け、前記筒状袋の前記外側壁には、牽引用の連結具と連結可能な連結部が設けられていることを特徴とする工具袋。
【請求項５】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記ベルトは複数層とし、外層と内層は異色とし、前記筒状袋の前記外側壁には、牽引用の連結具と連結可能な連結部が設けられていることを特徴とする工具袋。
【請求項６】
筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設け、前記ベルトは複数層とし、外層と内層は異色とし、前記筒状袋の前記外側壁には、牽引用の連結具と連結可能な連結部が設けられていることを特徴とする工具袋。
【請求項７】
前記二本のベルトのうち一本は、互いに離れた複数の固定部により前記外側壁に固定され、複数の前記固定部の間が前記連結部になっていることを特徴とする請求項２乃至請求項６の何れか１つに記載の工具袋。
【請求項８】
前記ベルトは、異色の三層とし、表裏層と中層は異なる採色としたことを特徴とする請求項１乃至請求項７の何れか１つに記載の工具袋。
【請求項９】
前記底板は周縁部に立ち上がり縁を設けた金属板又は合成樹脂板としたことを特徴とする請求項１乃至請求項８の何れか１つに記載の工具袋。
【請求項１０】
前記ベルトを構成する織布の間にピアノ線を挿通したことを特徴とする請求項１乃至請求項９の何れか１つに記載の工具袋。
【発明の詳細な説明】
【技術分野】
【０００１】
本発明は、工具袋に関し、特に土木、建築、電気工事、配管その他の工事において、高所作業の際に必要な工具又は器具を吊り上げ、又は吊り下げる際に使用する工具袋に関する。
【背景技術】
【０００２】
従来、土木、建築、電気工事、配管その他の工事において、筒状袋の口部に吊紐の両端を縛着（固着）した工具袋（通称「バケツ」）が使用されている。この工具袋は、直径２００ｍｍ〜４５０ｍｍ、高さ３００ｍｍ〜１５００ｍｍであって、収容するのはスパナ、レンチ、ハンマーなどの工具その他の部品（単管、ジョイント部品など）であって、使用可能な重量は３５ｋｇ〜８０ｋｇを想定しており、破断荷重は７．３Ｎ〜１６．７５Ｎとされている。そこで、ベルトが切れたり、袋が破れたりしないように前記破断荷重を念頭において強度の対処がされている。
【０００３】
前記工具袋は、従来一本のベルトによる吊り下げ構造であるから、ベルトの強度が第一の留意点であるが、安全性を考慮すれば前記ベルトの他に、ベルトと袋の取付部、筒状部、袋の底部などについて強度上の配慮が必要とされる。  
【０００４】
しかしながら。従来、一般的に知られている工具袋は、ベルト一本に全重量を負担させているから（特許文献１、２参照）、ベルトに故障が生じると直ちに危険が生じるおそれがあった。また、工具袋の底部については配慮されていなかったので、工具類の尖端が当たり、かつ重力により工具類が工具袋の底を突き破るおそれがあった。  
【０００５】
また、工具袋の底部は他物と接触しやすく、摩耗しやすいにも関わらず、摩耗対策がされていなかった。  
【０００６】
また、工具袋は高所へ吊り上げ又は高所から吊り下げるために、使用の都度重力を受け、重量より大きい力が急速に掛かるおそれがあるが、対策がとられていなかった。  
【０００７】
さらに、工具袋は、工事現場で連続的かつ過酷な条件下で使用されるので、積載許容量以上の工具類が詰め込まれることが予測され、かつ吊り上げ又は吊り下げ時に急速な速度変化が生じるが何等の措置がされていない問題点があった。  
【０００８】
これらの問題点に対応して、実用新案文献１には、二本のベルトによる吊り下げ構造の工具袋が提案されている。
【先行技術文献】
【特許文献】
【０００９】
【特許文献１】実開平６−３６７９０号公報
【特許文献２】特開２００８−１７４２７１号公報
【特許文献３】実用新案登録第３１９６５９２号公報
【発明の概要】
【発明が解決しようとする課題】
【００１０】
従来の高所作業を行う仮設設置及び解体現場では、通常、落下物防止壁を配置して、落下物が地表にまで落下するのを防止している。このような現場で、特許文献１、２、実用新案文献１等に記載された従来の工具袋を用いて、吊り上げ移動作業や吊り下げ移動作業を行う場合、落下物防止壁が障害物となり、作業に支障をきたすことが多々あった。
【００１１】
本発明は、吊り上げ移動作業や吊り下げ移動作業を行う場合に、障害物への接触を容易に回避することができる工具袋を提供することである。
【課題を解決するための手段】
【００１２】
本発明の第１の観点における工具袋は、開口部を有する略円筒バケツ形状の筒状袋と、両端部が前記筒状袋の前記開口部の近傍に対称に固定されるベルトと、を備え、前記筒状袋の外側壁には、牽引用の連結具と連結可能な連結部が設けられているものである。
好適には、請求項１に記載の工具袋は、連結部としてリングキャッチと連結可能なものを用いる。
【００１３】
請求項２に記載の発明の工具袋は、筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記筒状袋の前記外側壁には、牽引用の連結具と連結可能な連結部が設けられている。
【００１４】
請求項３に記載の発明の工具袋は、筒状袋の外側壁及び底壁へ二本のベルトの両端部を等間隔に固定すると共に、前記筒状袋の内底上へ底板を収容し、前記筒状袋の口縁部を皮革で覆い、前記二本のベルトは、筒状袋の上部及び底部で交差させ、前記筒状袋の前記外側壁には、牽引用の連結具と連結可能な連結部が設けられている。
【００１５】
請求項４に記載の発明の工具袋は、筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設け、前記筒状袋の前記外側壁には、牽引用の連結具と連結可能な連結部が設けられている。
【００１６】
請求項５に記載の発明の工具袋は、筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記ベルトは複数層とし、外層と内層は異色とし、前記筒状袋の前記外側壁には、牽引用の連結具と連結可能な連結部が設けられている。
【００１７】
請求項６に記載の発明の工具袋は、筒状袋の外側壁及び底壁へ二本のベルトの両端部を等間隔に固定すると共に、前記筒状袋の内底上へ底板を収容し、前記二本のベルトは、筒状袋の上部及び底部で交差させ、前記底部下面の扇状の露出部へ４個の突部を等間隔に設け、前記ベルトは複数層とし、外層と内層は異色とし、前記筒状袋の前記外側壁には、牽引用の連結具と連結可能な連結部が設けられている。
【００１８】
請求項７に記載の発明の工具袋は、請求項２乃至請求項６の何れか１つに記載の工具袋であって、前記二本のベルトのうち一本は、互いに離れた複数の固定部により前記外側壁に固定され、複数の前記固定部の間が前記連結部になっていることを特徴とする。
【００１９】
請求項８に記載の発明の工具袋は、請求項１乃至請求項７の何れか１つに記載の工具袋であって、前記ベルトは、異色の三層とし、表裏層と中層は異なる採色としたことを特徴とする。
【００２０】
請求項９に記載の発明の工具袋は、請求項１乃至請求項８の何れか１つに記載の工具袋であって、前記底板は周縁部に立ち上がり縁を設けた金属板又は合成樹脂板としたことを特徴とする。
【００２１】
請求項１０に記載の発明の工具袋は、請求項１乃至請求項９の何れか１つに記載の工具袋であって、前記ベルトを構成する織布の間にピアノ線を挿通している。
【発明の効果】
【００２２】
本発明における工具袋によって、吊り上げ移動作業や吊り下げ移動作業を行う場合に、障害物を容易に回避することが可能となった。
【図面の簡単な説明】
【００２３】
【図１】本発明の第１の実施形態に係り、（ａ）工具袋の斜視図、（ｂ）ベルトの一部を省略した工具袋の平面図、（ｃ）工具袋の底面図である。
【図２】本発明の第１の実施形態に係り、（ａ）工具袋の一部を省略した断面拡大図、（ｂ）工具袋のベルトの一部を省略し、拡大した説明図、（ｃ）工具袋のベルトの一部摩損を示す拡大断面図である。
【図３】本発明の第１の実施形態に係る工具袋の連結部にリングキャッチを介してリードロープを連結した状態を示す斜視図である。
【図４】本発明の第１の実施形態に係る工具袋の使用方法を説明する説明図である。
【図５】本発明の第２の実施形態に係り、（ａ）工具袋のベルトにピアノ線を挿通した状態を示す厚さ方向の一部断面拡大図、（ｂ）工具袋のベルトの幅方向の一部断面拡大図である。
【図６】第１の実施形態及び第２の実施形態において、牽引用の連結具としてネジ部分の無いカラビナを使用する場合の説明図である。
【発明を実施するための形態】
【００２４】
以下添付図面を参照して、本発明の好ましい実施形態を説明する。
＜第１の実施形態＞
図１及び図２は本発明の第１の実施形態に係り、図１（ａ）は工具袋１の斜視図、図１（ｂ）はベルト３、４の一部を省略した工具袋１の平面図、図１（ｃ）は工具袋１の底面図、図２（ａ）は工具袋１の一部を省略した断面拡大図、図２（ｂ）は工具袋１のベルト３、４の一部を省略し、拡大した説明図、図２（ｃ）は工具袋１のベルト３、４の一部摩損を示す拡大断面図である。
【００２５】
図１（ａ）において、工具袋１は、開口部２１を有する略円筒バケツ形状の筒状袋２と、両端部が前記筒状袋２の前記開口部２１の近傍に対称に固定される二本のベルト３、４とを備え、前記筒状袋２の外側壁には、牽引用の連結具（例えば、図３に示すリングキャッチ１０）と連結可能な連結部５、６が設けられている。  筒状袋２は、強靱な織布よりなる筒体２２の上部口縁に、皮革を被冠してなる環状の上部の口縁部２３を連設し、該口縁部２３を皮革条２４で覆い、筒体２２の下部口縁に同質の織布よりなる下部の口縁部２５を連設すると共に、円形の底部２６の周縁部を縫着する。このように、前記工具袋１の側壁下部は破損しやすいので補強してある。
【００２６】
図１（ｂ）及び図２（ａ）に示すように、底部２６の内側には、周縁部に立ち上がり縁２８を設けた底板２７を設置する。底板２７は、金属板又は合成樹脂板とするが、他の材質も使用できる。  図１（ｃ）及び図２（ａ）に示すように、底部２６の下面には、床面などと当接する４個の突部２９を均等に配置して固定する。
【００２７】
図２（ａ）に示すように、底板２７は、周縁部の立ち上がり縁２８を３０度〜９０度の範囲（図面では略９０度）で立ち上がらせている。  図１（ａ）に示すように、筒体２２の側面には、二本のベルト３、４を均等間隔で配置し、縫着固定されている。
【００２８】
ベルト３の一端側は、上部３１、中間部３２、下部３３で筒体２２に縫着固定する。上部３１、中間部３２、下部３３は互いに離れている。ベルト３の一端側の上部３１と中間部３２の間は、筒体２２に縫着されておらず、連結部５になっている。ベルト３の一端側の中間部３２と下部３３の間は、筒体２２に縫着されておらず、連結部６になっている。
【００２９】
索引部分となる連結部５、６には、地上の作業員（職人）から目視し易いように、目視し易い色（例えばオレンジや黄色）を採用しています。このような色を用いる理由は、地上の作業員が連結具及びリードロープを用いて工具袋１を索引する際に、索引部分（連結部５、６）が索引側と反対方向（建物方向）に有る状態で、急激な力で索引すると危険が伴う為である。
【００３０】
ベルト３の他端側と、ベルト４の一端側及び他端側とは、それぞれ上部３１、下部３３で筒体２２に縫着固定すると共に、長手方向の両縁部を筒体２２に縫着する。
【００３１】
図１（ｃ）に示すように、二本のベルト３、４は、底部２６の下面で十字状に配置された状態で縫着され、底部２６の扇形の露出部へ突部２９（図２（ａ）参照）が固定してある。  図１（ａ）に示すように、前記ベルト３、４の上部は筒体２２の口部上へ突出して交差部７を形成し、交差部７の各ベルト３、４の中間部３４、４４は、折り曲げて幅を小さくし、クレーンのフック等を掛け易くしてある。
【００３２】
図２（ｂ）及び図２（ｃ）に示すように、ベルト３、４は、強靱な繊維よりなる織布のベルト３５ａ、３５ｂ、３５ｃを積層して構成され、中間のベルト３５ｂは外側のベルト３５ａ、３５ｃと異色にしてある。例えば、ベルト３５ａ、３５ｃを黒色とし、ベルト３５ｂを赤色にしてあるので、連結部５、６を除く部分において、外側のベルト３５ａ又はベルト３５ｃが摩損すると、図２（ｃ）に示すように、摩損３５ｄから中間のベルト３５ｂの赤色が見えるようになる。
【００３３】
このような構造により、作業者は、ベルト３、４から赤色が見えれば、使用中止と判断することができるので、新しい工具袋と取り換えて使用することにより、不慮の事故を未然に防止することができる。
【００３４】
図１（ａ）において、ベルト３、４の連結部５、６は、ベルト３５ａ、３５ｂ、３５ｃの積層（図２（ｂ）及び図２（ｃ）参照）を目視し易い色のシートで包み、当該シートをベルト３５ａ、３５ｂ、３５ｃの積層に縫い付けている。
【００３５】
これにより、ベルト３、４の連結部５、６の外観は、目視し易い色（例えばオレンジや黄色）となり、ベルト３、４の連結部５、６を除く部分の外観は、目視し辛い色（例えば黒色）となる。また、筒状袋２の外観も目視し辛い色（例えば黒色）にしている。このような色設定により、索引部分となる連結部５、６は、地上の作業員（職人）から目視し易いようになっている。
【００３６】
また、ベルト３、４は、全長に亘って同質に作ってあるので、何処かが弱体化しても危険を直ちに知ることができる。従って、バンドの破断による事故を未然に防止することができる。また、ベルト織布の積層数に限定はない。
【００３７】
図１（ｃ）に示すように、工具袋１では、二本のベルト３、４を底部２６の下（底板下）にも交差して均等に配置したので、工具袋１の重量は悉く二本のベルト３、４に掛かることになる。そこで、二本のベルト３、４の引張強さを、最大収容荷重が落下停止時のショックに耐え得る強度にしておくことにより、如何なる使用方法の場合にも安全性を確保することができる。
【００３８】
また、図２（ｃ）に示すように、ベルト３、４の摩耗を目視できるようにしてあるので、使用者が危険性を直接察知して工具袋の取り換えをすることができる。
【００３９】
図３は本発明の第１の実施形態に係る工具袋１の連結部６にリングキャッチ１０を介してリードロープ１１を連結した状態を示す斜視図である。
【００４０】
図３に示すように、工具袋１のベルト３による連結部５、６のうち下側の連結部６には、リングキャッチ１０が取り付けられている。また、リングキャッチ１０には、リードロープ１１の一端側が取り付けられている。このような構造により、連結部６がリングキャッチ１０を介してリードロープ１１に連結され、工具袋１の側壁がリードロープ１１により牽引されるようになっている。リングキャッチ１０には、回転操作部１２が設けられており、回転操作部１２を回転操作することで、リングキャッチ１０のループに隙間を発生させて、リングキャッチ１０から連結部５及びリードロープ１１を取り外せるようになっている。  尚、第１の実施形態では、連結部５にリングキャッチ１０を介してリードロープ１１を連結することも可能である。
【００４１】
図４は、本発明の第１の実施形態に係る工具袋１の使用方法を説明する説明図である。  図４に示すように、高所作業を行う仮設設置及び解体現場のビル５１では、通常、外壁５２に落下物防止壁５３を配置して、落下物が地表にまで落下するのを防止している。
【００４２】
仮設設置及び解体現場のビル５１のベランダ５４にクレーン５５が配置され、クレーン５５のロープ５６の先端には、フック５７が設けられ、このフック５７には、工具袋１の前記ベルト３、４の交差部７が掛けられている。連結部６は、リングキャッチ１０を介してリードロープ１１に連結されている。
【００４３】
このような状態で、クレーン５５を動作させることで工具袋１の吊り上げ移動作業や吊り下げ移動作業を行うことが可能になる。ここで、工具袋１の吊り上げ移動作業や吊り下げ移動作業において、落下物防止壁５３が障害になる場合、地上の作業員５８は、リードロープ１１を引いて手前側の方向Ａに工具袋１を移動させる。これにより、吊り上げ移動作業や吊り下げ移動作業を行う場合に、障害物への接触を容易に回避することができる。
【００４４】
以上、説明した第１の実施形態の工具袋1の構成及び動作を纏めて説明すると、工具袋１は、開口部２１を有する略円筒バケツ形状の筒状袋２と、両端部が前記筒状袋２の前記開口部２１の近傍に対称に固定されるベルト３、４とを備え、前記筒状袋２の外側壁には、牽引用の連結具（リングキャッチ１０）と連結可能な連結部５、６が設けられている。
【００４５】
また、工具袋１は、筒状袋２の外側壁及び底壁（底部２６）へ二本のベルト３、４の両端部を等間隔に固定すると共に、前記筒状袋２の内底上へ底板２７を収容し、前記二本のベルト３、４は、筒状袋２の上部及び底部で交差させ、前記筒状袋２の前記外側壁には、牽引用の連結具（リングキャッチ１０）と連結可能な連結部５、６が設けられている。
【００４６】
また、工具袋１は、筒状袋２の外側壁及び底壁（底部２６）へ二本のベルト３、４の両端部を等間隔に固定すると共に、前記筒状袋２の内底上へ底板２７を収容し、前記筒状袋２の口縁部２３を皮革（皮革条２４）で覆い、前記二本のベルト３、４は、筒状袋２の上部及び底部で交差させ、前記筒状袋２の前記外側壁には、牽引用の連結具（リングキャッチ１０）と連結可能な連結部５、６が設けられている。
【００４７】
また、工具袋１は、筒状袋２の外側壁及び底壁（底部２６）へ二本のベルト３、４の両端部を等間隔に固定すると共に、前記筒状袋２の内底上へ底板２７を収容し、前記二本のベルト３、４は、筒状袋２の上部及び底部で交差させ、前記底部下面の扇状の露出部へ４個の突部２９を等間隔に設け、前記筒状袋２の前記外側壁には、牽引用の連結具（リングキャッチ１０）と連結可能な連結部５、６が設けられている。
【００４８】
また、工具袋１は、筒状袋２の外側壁及び底壁（底部２６）へ二本のベルト３、４の両端部を等間隔に固定すると共に、前記筒状袋２の内底上へ底板２７を収容し、前記二本のベルト３、４は、筒状袋２の上部及び底部で交差させ、前記ベルト３、４は複数層（ベルト３５ａ、３５ｂ、３５ｃ）とし、外層（ベルト３５ａ、３５ｃ）と内層（ベルト３５ｂ）は異色とし、前記筒状袋２の前記外側壁には、牽引用の連結具（リングキャッチ１０）と連結可能な連結部５、６が設けられている。
【００４９】
また、工具袋１は、筒状袋２の外側壁及び底壁（底部２６）へ二本のベルト３、４の両端部を等間隔に固定すると共に、前記筒状袋２の内底上へ底板２７を収容し、前記二本のベルト３、４は、筒状袋２の上部及び底部で交差させ、前記底部下面の扇状の露出部へ４個の突部２９を等間隔に設け、前記ベルト３、４は複数層（ベルト３５ａ、３５ｂ、３５ｃ）とし、外層（ベルト３５ａ、３５ｃ）と内層（ベルト３５ｂ）は異色とし、前記筒状袋２の前記外側壁には、牽引用の連結具（リングキャッチ１０）と連結可能な連結部５、６が設けられている。
【００５０】
また、工具袋１において、前記二本のベルト３、４のうち一本は、互いに離れた複数の固定部により前記外側壁に固定され、複数の前記固定部の間が前記連結部５、６になっている。
【００５１】
また、工具袋１において、前記ベルト３、４は、異色の三層（ベルト３５ａ、３５ｂ、３５ｃ）とし、表裏層（ベルト３５ａ、３５ｃ）と中層（３５ｂ）は異なる採色としている。
【００５２】
さらに、前記底板２７は周縁部に立ち上がり縁２８を設けた金属板又は合成樹脂板としている。
【００５３】
以上に説明した本発明の第１の実施形態によれば、吊り上げ移動作業や吊り下げ移動作業を行う場合に、障害物への接触を容易に回避することができる。  また、本発明の第１の実施形態によれば、ベルトを二本にして筒状袋２を吊り下げることで、吊り上げ時の対応強度を２倍にすると共に、二本のベルト３、４の両方を筒状袋２の底部まで廻すことにより、二本のベルト３、４で筒状袋２の全重量を支持させることで、工具袋１の強度を高めることができる。
【００５４】
また、本発明の第１の実施形態によれば、二本のベルト３、４の両端をそれぞれ筒状袋２の外側壁及び底壁（底部２６）に固定しているので、吊り下げられた筒状袋２の安定性がよく、かつ二本のベルト３、４で全重量を支えるので、吊下荷重に対するバランスがよくなる。
【００５５】
また、本発明の第１の実施形態によれば、筒状袋２の内底部に補強板として底板２７（例えば金属薄板）を収容し、底板２７の固線に立ち上がり縁２８を設けて補強したので、工具などの尖端部が底板２７へ強く当接し、又は工具袋１が横に引きずられても底板２７が破損するおそれを未然に防止できる。
【００５６】
また、本発明の第１の実施形態によれば、底板２７によって、工具袋１の底に掛かる外力を受け止めると共に、工具などによる筒状袋２の底部２６の損傷を防止することができる。
【００５７】
また、本発明の第１の実施形態によれば、ベルト３、４の二本は共に複数枚の異色ベルト（ベルト３５ａ、３５ｂ、３５ｃ）を重ね合わせる構成にし、表面のベルト（ベルト３５ａ、３５ｃ）が部分的に摩損すると異色（赤色）が表れて、ベルト３、４の使用限度を自動的に告知することができるので、安全使用を見込むことができる。
【００５８】
また、本発明の第１の実施形態によれば、筒状袋２の底部下面には４個の突起２９を配置して、載置時の支持突起としたことで、筒状袋２の底面と床面などとの接触を防止できる。
【００５９】
さらに、本発明の第１の実施形態によれば、索引部分となる連結部５、６には、他の部分に比べて目視し易い色を採用しているので、地上の作業員が連結具及びリードロープを用いて工具袋１を索引する際に、索引部分が索引側と反対方向に有る状態で、急激な力で索引することを防止できる。
【００６０】
尚、本発明の第１の実施形態において、筒状袋２の口部（開口部２１）及び底周部（底部２６の周縁部）はそれぞれ二重縫着により補強することで、該部が二重の強度になると共に、磨り減っても本来の強度が低下しないようにすることができる。
【００６１】
また、本発明の第１の実施形態において、ベルト３、４は、異色の三層又は四層とし、表裏層と中層は異なる色彩としてもよい。
【００６２】
また、本発明の第１の実施形態において、前記における底板２７周縁部の立ち上が縁２８の立ち上がり角度は３０度〜９０度であって、好ましくは６０度〜９０度である。このような角度設定により、工具端が底板２７外へ逸脱するおそれを未然に防止することができる。
【００６３】
また、本発明の第１の実施形態において、ベルト３と連結部５、６を一体で形成したが、連結部５、６はベルト３から独立して筒状袋２の外側壁に設けてもよい。
【００６４】
＜第２の実施形態＞
本発明に係る第２の実施形態について図５を参照して説明する。
図５は本発明の第２の実施形態に係り、図５（ａ）は、工具袋のベルトにピアノ線を挿通した状態を示す厚さ方向の一部断面拡大図、図５（ｂ）は、工具袋のベルトの幅方向の一部断面拡大図である。
【００６５】
図５（ａ）及び図５（ｂ）に示すように、第２の実施形態の工具袋６１は、ベルト３、４を構成する織布３５ａ、３５ｂの間の間にピアノ線３６、３７を挿通している。  このような構造により、工具袋６１は、前記ベルト３、４を構成する織布の間にピアノ線３６、３７を挿通している。図５以外の第２の実施形態の構成は、第１の実施形態と同様である。
【００６６】
このような第２の実施形態によれば、第１の実施形態と同様の効果が得られるとともに、ベルト３、４の引張強度を飛躍的に向上させることができる。引張強度を勘案してピアノ線３６、３７の直径を決めれば、ベルトに関し確実に求める強度を得ることができる。
【００６７】
尚、第２の実施形態によれば、ベルト３、４を構成する織布３５ａ、３５ｂの間にピアノ線３６、３７を挿通したが、ベルト３、４を構成する織布３５ｂ、３５ｃの間にピアノ線３６、３７を挿通してもよい。
【００６８】
また、第２の実施形態では、ベルト内へ二本のピアノ線を挿通したが、金属細線を織布中へ織り込んでも、前記と同様にベルトに関し確実に求める強度を得ることができる。  
【００６９】
図６は、第１の実施形態及び第２の実施形態において、牽引用の連結具としてネジ部分の無いカラビナを使用する場合の説明図である。  
【００７０】
図６に示すように、牽引用の連結具であるカラビナ７０は、略Ｃ字形のボディ７１と、断面略円形の可動なレバー杆７２とからなる。レバー杆７２は、ボディ７１の開放一端部７３に回動自在に支持され、ボディ７１に押し込むように力を加えることで、その先端部７４がボディ７１から離れたセパレートポジジョンに動くようになっている。  
【００７１】
また、カラビナ７０は、レバー杆７２がセパレートポジジョンにある状態で、連結部５及びリードロープ１１の差し込み、及び連結部５及びリードロープ１１の取り外しが行えるようになっている。レバー杆７２の内部には、リターンスプリングが装着されている。レバー杆７２は、リターンスプリングによって閉じる位置に付勢され、閉じる位置でその先端部７４がボディ７２の開放他端部７５に係合する。  
【００７２】
尚、第１の実施形態及び第２の実施形態に適用可能な牽引用の連結具としては、図３に示すリングキャッチ、図６に示すカラビナ以外にも各種適用可能である。  
【００７３】
本発明の、構造、製造システム、材料、各部材の連結、科学物質、等は、本発明の要旨を変更しない範囲で、様々に変更可能である。
【００７４】
材質も、合成樹脂、金属、プラスチック、ＦＲＰ、木材等を自由に選択することが可能である。
【００７５】
例えば、２つ以上の部材を１つにすることも可能であるし、逆に、１つの部材を２つ以上の別の部材から構成して接続することも可能である。
【００７６】
また、上記第１及び第２の実施形態は、あくまでも、現在のところの最良またはそれに近い形態にすぎない。
【００７７】
＜定義等＞
本発明におけるバケツ形状の筒状袋２の筒体２２としては、織布以外に、ビニールシート、皮革、金属等、各種適用可能である。
二本のベルト３、４としては、織布以外に、ビニールシート、皮革等、各種適用可能である。
【符号の説明】
【００７８】
１…工具袋  ２…筒状袋部  ３、４…ベルト  ５、６…連結部  ５…底板  ６…突部  ７…ベルト  １０…リングキャッチ  １１…リードロープ  ２１…開口部  ２２…筒体  ２３…上部の口縁部  ２４…皮革条  ２５…口縁部  ２６…底部  ２７…底板  ２８…立ち上がり縁  ２９…突部  ３１…上部  ３２…中間部  ３３…下部
【図１】
2020028937.tif 000003
【図２】
2020028937.tif 000004
【図３】
2020028937.tif 000005
【図４】
2020028937.tif 000006
【図５】
2020028937.tif 000007
【図６】
2020028937.tif 000008